(57)【要約】【課題】押圧ヘッドのどの部位に力を加えてもポンプを確実に作動させて内容物を排出することができるポンプ付き容器を提案する。【解決手段】上端開口１ａを有し、底板１ｂの縁部を取り囲んで起立する筒体１ｃとの協働にてその内側に内容物の充填空間を形成する容器本体１と、この容器本体１に固定保持されるポンプ３と、このポンプ３の上部に位置する天面蓋４ａ、天面蓋４ａの外縁部から垂下される周壁４ｆを有し、天面蓋４ａの押し込み、復帰動作の繰り返しにてポンプ３を作動させて充填空間内の内容物を排出する押圧ヘッド４とを備えたポンプ付き容器において、押圧ヘッド４の周壁４ｆを取り囲み、天面蓋４ａの押し込み、復帰動作のいずれにおいても周壁４ｆと摺動可能に当接して押圧ヘッド４を案内、誘導する壁部７ｃを有するガイドリング７を設ける。【選択図】図１
2011116424.tif 000002
【特許請求の範囲】
【請求項１】
上端開口を有し、底板の縁部を取り囲んで起立する筒体との協働にてその内側に内容物の充填空間を形成する容器本体と、この容器本体の上端開口において固定保持されるポンプと、このポンプの上部に位置する天面蓋と該天面蓋の外縁部から垂下される周壁からなり、該天面蓋の押し込み、復帰動作の繰り返しにてポンプを作動させて充填空間内の内容物を該天面蓋の開孔より排出する押圧ヘッドとを備えたポンプ付き容器であって、
前記上端開口に固定されるガイドリングを設け、該ガイドリングは前記押圧ヘッドの周壁を取り囲み、前記天面蓋の押し込み、復帰動作のいずれにおいても該周壁と摺動可能に当接して該押圧ヘッドを案内、誘導する壁部を有することを特徴とするポンプ付き容器。
【請求項２】
前記壁部は、前記押圧ヘッドの周壁に前記天面蓋の押し込み前の定常姿勢を保持する連係端を設けた、請求項１記載のポンプ付き容器。
【請求項３】
前記押圧ヘッドに、前記天面蓋の開孔に抜け止め保持され、前記押圧ヘッドの押し込み時のみに開放する弁体を設けた、請求項１又は２に記載のポンプ付き容器。
【発明の詳細な説明】
【技術分野】
【０００１】
本発明は、内容物の充填容量が減るにしたがい中皿が上昇するポンプ付き容器に関するものであり、とくに、ポンプを作動させる押圧ヘッドの傾きに起因した作動不良を回避して内容物の確実な注出を実現しようとするものである。
【背景技術】
【０００２】
化粧料や整髪料、シャンプーあるいはリンス等を入れる容器としては、ハンディータイプや据え置きタイプに関わらずポンプを装着したものが多数上市されており、これにより容器内の内容物を衛生的、かつ効率的に注出することができるようになっている。
【０００３】
従来のポンプ付き容器としては、ポンプの吸引口を容器の口部の直下に位置せしめ、内容物が取り出されるにしたがい袋状の収納室を縮小変形させるようにした容器や、内容物の充填空間内に中皿を配置して内容物の充填量が減少するにしたがい該中皿をポンプの吸引口へ向けてスライドさせる容器等が適用されている（例えば、特許文献１参照）ところ、この種の容器にあっては押圧ヘッドの押し方に偏りがあると、図３に示すように押圧された側（図に示すＡ側）は下がる一方で反対側（図に示すＢ側）が持ち上がり、ポンプを作動させる位置まで押圧ヘッドを押し下げることが困難となり、内容物の安定した注出が行うことができないこともあって未だ改善の余地が残されていた。
【先行技術文献】
【特許文献】
【０００４】
【特許文献１】実公平７−５４１２５号公報
【発明の概要】
【発明が解決しようとする課題】
【０００５】
本発明の課題は、押圧ヘッドのどの部位に力を加えてもポンプを確実に作動させることができるポンプ付き容器を提案するところにある。
【課題を解決するための手段】
【０００６】
本発明は、上端開口を有し、底板の縁部を取り囲んで起立する筒体との協働にてその内側に内容物の充填空間を形成する容器本体と、この容器本体の上端開口において固定保持されるポンプと、このポンプの上部に位置する天面蓋と該天面蓋の外縁部から垂下される周壁からなり、該天面蓋の押し込み、復帰動作の繰り返しにてポンプを作動させて充填空間内の内容物を該天面蓋の開孔より排出する押圧ヘッドとを備えたポンプ付き容器であって、
前記上端開口に固定されるガイドリングを設け、該ガイドリングは前記押圧ヘッドの周壁を取り囲み、前記天面蓋の押し込み、復帰動作のいずれにおいても該周壁と摺動可能に当接して該押圧ヘッドを案内、誘導する壁部を有することを特徴とするポンプ付き容器である。
【０００７】
上記の構成になるポンプ付き容器において、ガイドリングの壁部には、前記押圧ヘッドの周壁に連係して、前記天面蓋の押し込み前の定常姿勢を保持する連係端を設けることができる。
【０００８】
また、上記の構成になるポンプ付き容器において、前記押圧ヘッドには、前記天面蓋の開孔に抜け止め保持され、前記押圧ヘッドの押し込み時のみに開放する弁体を設けるのが好ましい。
【発明の効果】
【０００９】
押圧ヘッドを摺動可能に当接して案内、誘導するガイドリングを設けたため、押圧ヘッドに偏った力が加わっても押圧ヘッドは平行に押し下げられ、ポンプが作動不良を起こすことはない。
【００１０】
押圧ヘッドの突起と連係して押圧ヘッドの押し込み前の定常姿勢を保持する連係端をガイドリングに設けたため、押圧ヘッドに偏った力が加わっても押圧ヘッドの傾きを抑えることが可能となる。
【００１１】
押圧ヘッドのどの部位を押してもポンプを作動させることができることになるため、使い勝手の改善を図ることができる。
【図面の簡単な説明】
【００１２】
【図１】本発明にしたがうポンプ付き容器の実施の形態を断面で示した図である。
【図２】図１に示したポンプ付き容器につき、偏った押し込み力を加えた状態の図である。
【図３】従来のポンプ付き容器の構成例を示した図である。
【図４】本発明にしたがうポンプ付き容器の他の実施の形態を示した図（中心線を境にして左側半分は、押圧ヘッドを押し込んだ状態で示してあり、右側半分は押圧ヘッドを押し込む前の状態を示してある。）である。
【発明を実施するための形態】
【００１３】
以下、図面を参照して本発明をより具体的に説明する。
図１は、本発明にしたがうポンプ付き容器の側面（断面表示）を示した図であり、図における１は、容器本体である。この容器本体１は、上端開口１ａを有し、底板１ｂの縁部を取り囲んで起立する筒体１ｃ（底板１ｂとは一体成形されている。）との協働にてその内側に内容物の充填空間Ｍを形成している。
【００１４】
また、２は、容器本体１の底板１ｂに設けられた外気導入孔、３は、容器本体１内の内容物を排出するポンプである。
【００１５】
ポンプ３は、底部に内容物の吸引口ｈを有する筒状のシリンダ３ａと、このシリンダ３ａ内にスライド可能に配置されるピストン３ｂと、このピストン３ｂの貫通孔に挿通されその他端（上端）を後述する押圧ヘッドの筒体に連結する中空ステム３ｃと、シリンダ３ａの上部開口端のフランジ部に固定保持され、ピストン３ｂのシリンダ３ａからの抜け出しを防止する抜け止め部材３ｄと、シリンダ３ａ内で吸引口ｈに配置され、内容物の吸引時にのみ開放する弁体（三点弁等）３ｅと、シリンダ３ａの外側壁と連結し、凹型の断面形状をなすケーシング３ｆから構成されている。
【００１６】
抜け止め部材３ｄは、シリンダ３ａを取り囲むように上向き開放、下向き開放となる環状溝３ｄ１、３ｄ２と、この環状溝３ｄ１、３ｄ２を取り囲むように設けられた上向き開放の環状凹部３ｄ３と、この環状凹部３ｄ３の縁部に起立する筒体３ｄ４と、この筒体３ｄ４の上端部と一体連結し、その先端部を斜め下向きに指向させる爪部３ｄ５（環状でもよいし、複数設けられたものでもよい）が一体的に形成されている。
【００１７】
ケーシング３ｆは、シリンダ３ａを取り囲むように起立し、抜け止め部材３ｄの環状溝３ｄ２と勘合する筒体３ｆ１と、該抜け止め部材３ｄの環状凹部３ｄ３の下面に当接する底壁３ｆ２と、この底壁３ｆ２の縁部に起立し、その外側壁にねじ部ｎを有する筒体３ｆ３と、この筒体３ｆ３と一体連結し後述する中蓋の開口部に設けたフランジと当接する、フランジ３ｆ４が一体的に形成されている。
【００１８】
４は、ポンプ３を作動させる押圧ヘッドである。この押圧ヘッド４は、ポンプ３の上部に位置する、ケーシング３ｆの筒体３ｆ３の内側に入り込む径を有するディスク状の天面蓋（縁部が波を打った形状のものを表示している） ４ａと、この天面蓋４ａの下面に一体的に設けられ、ポンプ３の中空ステム３ｃの上端においてアンダーカットの如き係合手段を介して連結する筒体４ｂと、天面蓋４ａを弾性支持するスプリング４ｃと、天面蓋４ａの下面において垂下され、抜け止め部材３ｄの環状溝３ｄ１にスライド可能に入り込むガイド（リブ状のものでもよいし、筒状のものでもよい）４ｄと、このガイドを取り囲むように天面蓋４ａの下面において垂下され、抜け止め部材３ｄの環状凹部３ｄ４の内壁に沿って上下に摺動可能な筒体４ｅと、天面蓋４ａの外縁部に一体連結しその部位から垂下される周壁４ｆから構成されている。前記スプリング４ｃは、その上部の外側が筒体４ｅに、その下部の内側が抜け止め部材３ｄの環状凹部３ｄ３に支持されている。
【００１９】
周壁４ｆは、該周壁４ｆの内側壁に抜け止め部材３ｄの爪部３ｄ５と係合する突起４ｆ１（環状でもよいし、複数設けられたものでもよい）と、該周壁４ｆの外側壁の下端部に突起４ｆ２（環状でもよいし、複数設けられたものでもよい）を有している。
【００２０】
押圧ヘッド４の天面蓋４ａの中央には、開孔部４ａ１が設けられており、この開孔部４ａ１には押圧ヘッド４が押し込まれていない状態では該開孔部４ａ１を塞いでいるが、該押圧ヘッド４が押し込まれた状態でのみ該開孔部４ａ１を開放する弁体４ａ２を有している。弁体４ａ２は開孔部４ａ１で抜け止めされる本体部分４ａ２１と、この本体部分４ａ２１に弾性可能に連結する弁部４ａ２２からなっており、少なくとも弁部４ａ２２については、ゴム等の弾性部材やエラストマーの如き軟質剤によって形成されている。
【００２１】
ポンプ３のピストン３ｂは、中空ステム３ｃの先端部に設けられた環状体ｔと、筒体４ｂの先端との相互間に形成される空間内に配置されており、この空間内で、ピストン３ｂは極わずかに、単独でスライドできるようになっており、押圧ヘッド４による押し込み時（内容物の排出時）には、筒体４ｂの先端がピストン３ｂの後端（上端）に当接して該ピストン３ｂをシリンダ３ａの吸引口ｈに向けてスライドさせる一方、押圧ヘッド４が初期状態に復元する際（内容物の吸引時）には、中空ステム３ｃの先端部に設けられた環状体ｔがピストン３ｂの先端（下端）に当接して該ピストン３ｂがシリンダ３ａの上方へ向けてスライドすることになる。
【００２２】
５は、容器本体１の充填空間Ｍに配され、内容物の充填容量の減少にしたがって上端開口１ａに向けてスライドする中皿である。この中皿５は、その外縁部に容器本体１の筒体１ｃの内周壁に当接する摺動部材５ａが配置されている。
【００２３】
６は、容器本体１の上端開口１ａにおいて筒体１ｃに係合（ねじ止めでもよいしアンダーカットによる係合でもよい）して固定保持される中蓋である。この中蓋６は、筒体１ｃとは縦リブとこの縦リブが嵌り込む縦溝とによって回動不能につながっており、容器本体１の上端開口１ａを覆い隠す大表面積を有する底壁（隔壁）６ａと、この底壁６ａの縁部において起立（一体連結）する環状周壁６ｂと、この環状周壁６ｂの突端部に設けられ、筒体１ｃの突端部に当接するフランジ部６ｃと、底壁６ａの中央部において形成され、ポンプ３の吸入口ｈを充填空間Ｍに臨ませる開口６ｄが設けられている。
【００２４】
中蓋６の底壁６ａは、中皿５と、ポンプ３のケーシング３ｆとの接触を阻止する機能を有するものであって、前記環状周壁６ｂの内壁には、ケーシング３ｆの筒体３ｆ３に形成されたねじ部ｎに係合するねじ部ｎ１が設けられ、その外壁が容器本体１の筒体１ｃの内側に係合（図示の例ではアンダーカット係合の場合について示したが、ねじによる係合でもよい）しており、該底壁６ａの環状突起６ａ１とケーシング３ｆの環状凹部３ｆ５と相互間には液密状態を維持するためのパッキンＰが配置されている。
【００２５】
７は、前記押圧ヘッド４を摺動可能に当接して案内、誘導するガイドリングである。このガイドリング７は、ケーシング３ｆのフランジ３ｆ４と当接し、筒体３ｆ３の上端部と係合（アンダーカット係合でもよいし、ねじによる係合でもよい）しており、筒体３ｆ３の上端面に沿って伸延する天板７ａと、この天板７ａの外縁及び内縁においてそれぞれ垂下され、その相互間に下向きに開放された溝部を形成する同心二重の壁部７ｂ、７ｃと、該壁部７ｃの下端部であり、前記押圧ヘッド４の定常姿勢（押し込み前の姿勢をいう）でもって該押圧ヘッド４の突起４ｆ２と連係する連係端７ｃ１から構成される。
【００２６】
ガイドリング７の壁部７ｃは、摺動可能に当接させる場合を例にして説明したが、押圧ヘッド４の定常姿勢、押し込み姿勢にかかわりなく周壁４ｆとごくわずかな隙間をもって位置させておくようにしてもよい。
【００２７】
さらに、８は、ガイドリング７の外側の壁部７ｂの上端部に着脱自在にアンダーカット係合（ねじによる係合でもよい）して押圧ヘッド４を覆い隠すカバーキャップである。
【００２８】
上記の構成になるポンプ付きの容器にあっては、押圧ヘッド４の天面蓋４ａに押し込み力を付与すると、天面蓋４ａは、スプリング４ｃの付勢力に抗して押し下げられ、ピストン３ｂは、筒体４ｂに押圧されてシリンダ３ａの底部へ向けてスライドする。
【００２９】
ピストン３ｂが、シリンダ３ａの最下端（下死点）にスライドしたのちにおいて、押圧ヘッド４に加えた押し込み力を取り除くと、スプリング４ｃの付勢力により押圧ヘッド４は初期状態へと復帰し、この時、ピストン３ｂは中空ステム３ｃとともにシリンダ３ａの上部へ向けてスライドする。
【００３０】
ピストン３ｂがシリンダ３ａの上部へ向かうスライドにおいては、シリンダ３ａ内が負圧になることから、弁体３ｅが開放され、吸引口ｈを通して容器内の内容物がシリンダ３ａ内へ吸引される。
【００３１】
押圧ヘッド４が初期状態へ復帰（上死点）したのち、再度、天面蓋４ａに押し込み力を付与すると、シリンダ３ａ内は加圧され、その中に存在する内容物は、中空ステム３ｃの開孔３ｃ１、その内部通路３ｃ２を経て、天面蓋４ａの開孔４ａ１へ向かうとともに、その際の圧力により弁体４ａ２が弾性変形して該開孔４ａ１を開放して内容物が排出される。このような動作の繰り返し、すなわち、押圧ヘッド４の天面蓋４ａの押し込み、復帰動作を繰り返すことにより内容物の連続的な排出が可能となり、これに併せて中皿５が容器本体１の上端開口１ａに向けて上昇する。
【００３２】
本発明にしたがうポンプ付きの容器にあっては、例えば、押圧ヘッド４の天面壁４ａに、図２に示すような偏った押し込み力が加えられても、押圧ヘッド４の周壁４ｆはガイドリング７の壁部７ｃを案内として摺動し、該押圧ヘッド４が傾くのが抑制されて内容物の確実な排出が可能となる。
【００３３】
押圧ヘッド４の突起４ｆ２とガイドリング７の連係端７ｃ１が連携して定常姿勢を保持しており、押圧ヘッド４の天面蓋４ａに偏った押し込み力が加えられても、該突起４ｆ２が該連係端７ｃ１と接触することになるため、該押圧ヘッド４の傾きを抑えることが可能となる。
【００３４】
ガイドリング７による押圧ヘッド４を案内する機能をより有効に発揮させるため、該ガイドリング７の壁部７ｃは、天板７ａより垂下される長さが長いほうが有利となる。
【００３５】
ガイドリング７の外側に位置する壁部７ｂについては、容器本体１の上部を覆うカバーとして機能させることが可能であり、ポンプ３や中蓋６の合わせ面からの水や異物の侵入を確実に防止することができる。
【００３６】
充填空間Ｍ内に充填された内容物が全て排出され、中皿５が最上部に移動した後においても、中蓋６により中皿５がケーシング３ｆに接触することはないため、容器の付け替えを行うべく、ポンプ３を取り外しても中皿５が付着してポンプ３とともに抜け出すのが回避され、その結果、液だれや中皿の脱落によって周囲を汚すことが皆無となる。
【００３７】
ガイドリング７を把持してそれを回動させることによりポンプ３を容器本体１から取り外すために、該ガイドリング７の壁部７ｃの内側と、筒体３ｆ３との間には、図示はしないが、溝部と、この溝部に嵌り込むリブ等からなる回り止め手段を設けておくものとする。
【００３８】
ポンプ付き容器は、スプリング４ｃを除いては、基本的に合成樹脂で構成することができる。
【００３９】
図４は、本発明にしたがうポンプ付き容器の他の実施の形態を示した図（中心線を境にして左側半分は、押圧ヘッドを押し込んだ状態で示してあり、右側半分は押圧ヘッドを押し込む前の状態を示してある。）である。
【００４０】
この例は、ガイドリング７を、壁部７ｃのみで構成（天板７ａ、壁部７ｂは省略。）して、これを、ケーシング３ｆの筒体３ｆ３にアンダーカットによる係合（ねじによる係合でもよい。）にて固定し、抜け止め部材３ｄにおいて環状溝３ｄ１を形成する立ち上がり外周壁３ｄ６の上端を、ケーシング３ｆを形成する筒体３ｆ１の上端開口の環状突起３ｆ６に連携させて抜け止めするとともに、押圧ヘッド４に設けたガイド４ｄ、筒体４ｅを敢えて省略（ただし、スプリング４ｃの上部外端に当接して該スプリング４ｃの位置決めを行う突起４ｇは設けてある。）した構造のものである。
【００４１】
上記の構成からなるポンプ付き容器にあっては、抜け止めカバー３ｄの環状溝３ｄ２、環状凹部３ｄ３、筒体３ｄ４、爪部３ｄ５、押圧ヘッド４のガイド４ｄと筒体４ｅ、ガイドリング７の天板７ａ、壁部７ｂが不要となるため、その分、成形材料の使用量が少なくてすみ、資源の有効活用を図ることが可能であり、また、金型の構造を簡素化できる利点もある。
【００４２】
またポンプ３は、吸引口ｈに一体連結し、中蓋６の開口６ｄを通り抜けて内容物の充填空間Ｍに向けて伸延する短尺筒体９を備え、中皿５は、短尺筒体９を挿入して該中皿５が最上端まで移動した際に中蓋６との当接を可能とする環状凹部１０を形成するようにしても良い。容器の付け替えに際しては、内容物の充填量が少なく、空気層が形成されている場合もあり、このような状況では、内容物を排出しようとしても空気のみが吸引されてポンプ３が作動不良を起したり、複数回にわたるプライミングが必要となり内容物の排出に際して手間がかかることがあったりしていたが、上記短尺筒体９を設けたものにあっては、ポンプ３の吸引口ｈと内容物とが直結することとなり、空気の吸い込みによる作動不良を皆無とすることが可能であり、しかも、少ないプライミングで確実に内容物の排出をすることができる。
【産業上の利用可能性】
【００４３】
押圧ヘッドのどの部位に力を加えてもポンプを作動させて内容物を確実に排出可能なポンプ付き容器が提供できる。
【符号の説明】
【００４４】
１      容器本体
１ａ    上端開口
１ｂ    底板
１ｃ    筒体
２      外気導入孔
３      ポンプ
３ａ    シリンダ
３ｂ    ピストン
３ｃ    中空ステム
３ｄ    抜け止め部材
３ｅ    弁体
３ｆ    ケーシング
４      押圧ヘッド
４ａ    天面蓋
４ａ１  開孔部
４ａ２  弁体
４ｂ    筒体
４ｃ    スプリング
４ｄ    ガイド
４ｅ    筒体
４ｆ    周壁
４ｆ１  突起
４ｆ２  突起
５      中皿
５ａ    摺動部材
６      中蓋
６ａ    底壁
６ｂ    環状周壁
６ｃ    フランジ部
６ｄ    開口
７      ガイドリング
７ａ    天板
７ｂ    壁部
７ｃ    壁部
７ｃ１  連係端
８      カバーキャップ
９      短尺筒体
１０    環状凹部
Ｍ      充填空間
ｈ      吸引口
Ｐ      パッキン
【図１】
2011116424.tif 000003
【図２】
2011116424.tif 000004
【図３】
2011116424.tif 000005
【図４】
2011116424.tif 000006